(57)【要約】【課題】簡単な構造で、風呂釜の換気筒とこれが臨む開口部との間隙を適切にシールすることができる風呂釜の設置構造等を提供する。【解決手段】ユニットバスＵＢが面する外壁ＥＷの開口部ＯＰに、換気筒１１を臨ませて風呂釜１０を設置する風呂釜１０の設置構造であって、換気筒１１が挿通すると共に、一端側がユニットバスＵＢに取り付けられ他端側が開口ＯＰに向かって延びるカバー筒１５と、外壁ＥＷの屋内側開口縁部ＯＰａに水密に取り付けられ、開口部ＯＰに臨むと共にカバー筒１５が挿入される雨仕舞筒２０と、雨仕舞筒２０の内周面とカバー筒１５の外周面との間隙を水密にシールする環状シール部２２と、を備えたものである。【選択図】  図１
2020026938.tif 000002
【特許請求の範囲】
【請求項１】
ユニットバスが面する外壁の開口部に、換気筒を臨ませて風呂釜を設置する風呂釜の設置構造であって、
前記換気筒が挿通すると共に、一端側が前記ユニットバスに取り付けられ他端側が前記開口部に向かって延びるカバー筒と、
前記開口部に臨むと共に前記カバー筒が挿入される雨仕舞筒部と、前記雨仕舞筒部から外方に延びる雨仕舞フランジ部とを有し、前記雨仕舞フランジ部により前記開口部が形成された前記外壁の屋内側開口縁部に取り付けられた雨仕舞筒と、
前記雨仕舞フランジ部と前記屋内側開口縁部との間に介設された枠状シール部と、
前記雨仕舞筒部の内周面と前記カバー筒の外周面との間隙をシールする環状シール部と、を備えたことを特徴とする風呂釜の設置構造。
【請求項２】
前記環状シール部は、前記雨仕舞筒部の内周面および前記カバー筒の外周面の一方に固着された環状のシーリング材と、他方に塗着され前記シーリング材に密接する環状のシーリング材受けと、を有し、
前記シーリング材は、前記カバー筒の前記雨仕舞筒部への挿入に伴って、前記シーリング材受けにより前記挿入する方向に相対的に塗り広げられたものであることを特徴とする請求項１に記載の風呂釜の設置構造。
【請求項３】
前記シーリング材受けは、前記雨仕舞筒部の前記内周面に固着され、
前記環状シール部は、前記開口部の内外方向屋内側に配設されていることを特徴とする請求項２に記載の風呂釜の設置構造。
【請求項４】
前記シーリング材受けは、前記雨仕舞筒部の前記内周面に固着された環状ベース部と、
前記カバー筒の前記外周面に対峙し、前記環状ベース部から突出する環状突起部と、を有していることを特徴とする請求項３に記載の風呂釜の設置構造。
【請求項５】
前記シーリング材受けは、前記雨仕舞筒部の前記内周面を環状に粗面加工した環状粗面部を、成形型の一部として成型されたものであることを特徴とする請求項３または４に記載の風呂釜の設置構造。  
【請求項６】
前記シーリング材受けおよび前記シーリング材は、同材質系の樹脂で構成されていることを特徴とする請求項２ないし５のいずれかに記載の風呂釜の設置構造。
【請求項７】
前記シーリング材受けは、前記カバー筒の前記外周面に固着され、
前記環状シール部は、前記開口部の内外方向屋外側に配設されていることを特徴とする請求項２に記載の風呂釜の設置構造。
【請求項８】
前記枠状シール部は、ゴムテープを基材とした両面粘着テープで構成され、
前記雨仕舞フランジ部は、前記枠状シール部を挟み込んだ状態で前記屋内側開口縁部にビス止めされていることを特徴とする請求項１ないし７のいずれかに記載の風呂釜の設置構造。
【請求項９】
前記屋内側開口縁部から前記開口部の内周面に亘って貼着された防水シートを、更に備えたことを特徴とする請求項１ないし８のいずれかに記載の風呂釜の設置構造。
【請求項１０】
前記換気筒の屋外側を前記開口部に支持する支持機構を、更に備えたことを特徴とする請求項１ないし９のいずれかに記載の風呂釜の設置構造。
【請求項１１】
ユニットバスが面する外壁の開口部に、換気筒を臨ませて風呂釜を設置する風呂釜の設置方法であって、
前記換気筒が挿通すると共に前記ユニットバスから前記開口部に向かって延びるカバー筒と、前記開口部に臨むと共に前記カバー筒が挿入される雨仕舞筒と、を用い、
前記雨仕舞筒の内周面に環状のシーリング材受けを固着する剤受け固着工程と、
前記シーリング材受けを固着した前記雨仕舞筒を、前記開口部が形成された前記外壁の屋内側開口縁部に水密に取り付ける雨仕舞筒取付け工程と、
シーリング材を前記カバー筒の外周面に環状に且つ盛り付けるように塗着する剤塗着工程と、
前記シーリング材を塗着した前記カバー筒を、前記雨仕舞筒に挿入すると共に前記ユニットバスに取り付けるカバー筒取付け工程と、
前記風呂釜を、前記カバー筒に挿通すると共に前記ユニットバスに取り付ける風呂釜取付け工程と、を備え、
前記カバー筒取付け工程では、前記カバー筒を前記雨仕舞筒に挿入する過程において、前記シーリング材受けにより、盛り付けた前記シーリング材を前記挿入する方向に相対的に塗り広げるようにして、前記雨仕舞筒の内周面と前記カバー筒の外周面との間隙をシールすることを特徴とする風呂釜の設置方法。
【発明の詳細な説明】
【技術分野】
【０００１】
本発明は、ユニットバスが面する外壁の開口部に、換気筒を臨ませて風呂釜を設置する風呂釜の設置構造および設置方法に関する。
【背景技術】
【０００２】
従来、この種の風呂釜の設置構造として、風呂釜の給排気筒を浴室壁面に開削した壁孔に臨ませ、これに風呂釜の排気接続筒を接続した風呂釜の取付構造が知られている（特許文献１参照）。
この取付構造では、給排気筒は、屋内側の端部にフランジ部を有しており、このフランジ部で壁孔の屋内側の縁部にビス止めされ、壁孔部分の雨仕舞が為されている。そして、風呂釜の排気接続筒が、この給排気筒に屋内側から差込み接続されている。
【先行技術文献】
【特許文献】
【０００３】
【特許文献１】実開平４−１０３５６４号公報
【発明の概要】
【発明が解決しようとする課題】
【０００４】
このような、従来の風呂釜の取付構造では、接合を考慮して、風呂釜の排気接続筒のサイズに合わせ給排気筒（換気筒）のサイズが決定され、雨仕舞を考慮して、給排気筒のサイズに合わせ壁孔（開口部）のサイズが決定されている。このため、従来の風呂釜の取付構造では、新築の建物への設置が前提となっている。
一方、既設の建物において、既設の浴室をユニットバスに改修しこれに風呂釜を設置する場合等では、新設風呂釜の給排気筒（換気筒）のサイズに対し、既設の開口部が極端に大きなサイズとなることが想定される。かかる場合に、壁孔と給排気筒との間隙が大きくなり、従来のものでは、給排気筒を開口部に合わせて改造しない限り、この部分のシールが不可能となる問題があった。
【０００５】
本発明は、簡単な構造で、風呂釜の換気筒とこれが臨む開口部との間隙を適切にシールすることができる風呂釜の設置構造および設置方法を提供することを課題としている。
【課題を解決するための手段】
【０００６】
本発明の風呂釜の設置構造は、ユニットバスが面する外壁の開口部に、換気筒を臨ませて風呂釜を設置する風呂釜の設置構造であって、換気筒が挿通すると共に、一端側がユニットバスに取り付けられ他端側が開口部に向かって延びるカバー筒と、開口部に臨むと共にカバー筒が挿入される雨仕舞筒部と、雨仕舞筒部から外方に延びる雨仕舞フランジ部とを有し、雨仕舞フランジ部により開口部が形成された外壁の屋内側開口縁部に取り付けられた雨仕舞筒と、雨仕舞フランジ部と屋内側開口縁部との間に介設された枠状シール部と、雨仕舞筒部の内周面とカバー筒の外周面との間隙をシールする環状シール部と、を備えたことを特徴とする。
【０００７】
この構成によれば、換気筒側のカバー筒と外壁の開口部との間に雨仕舞筒を介設し、シール箇所を、屋内側開口縁部と雨仕舞フランジ部との間、およびカバー筒と雨仕舞筒部との間の２箇所に分散している。これにより、各箇所の形態に合わせて適切なシールを行うことができ、開口部の大きさに係わらずこの部分における換気筒の雨仕舞を確実なものとすることができる。
特に、屋内側開口縁部と雨仕舞フランジ部との間は枠状シール部により、またカバー筒と雨仕舞筒部との間隙は環状シール部により、それぞれ適切にシールすることができ、換気筒と開口部との間隙を適切に雨仕舞することができる。
また、風呂釜やカバー筒は、ユニットバスを建て込んでから設置することになるが、雨仕舞筒は、ユニットバスを建て込む前に取り付けることができるため、雨仕舞筒を屋内側開口縁部に施工性良く取り付けることができる。
さらに、風呂釜やカバー筒が位置的な制約を受け、開口部の中心に臨ませることができない場合でも、これに雨仕舞筒を合せることで（雨仕舞筒を開口部内の偏った位置に設置）、換気筒の雨仕舞を適切に行うことができる。
【０００８】
この場合、環状シール部は、雨仕舞筒部の内周面およびカバー筒の外周面の一方に固着された環状のシーリング材と、他方に塗着されシーリング材に密接する環状のシーリング材受けと、を有し、シーリング材は、カバー筒の雨仕舞筒部への挿入に伴って、シーリング材受けにより挿入する方向に相対的に塗り広げられたものであることが好ましい。
【０００９】
この構成によれば、予め取り付けた雨仕舞筒の雨仕舞筒部に対し、ユニットバス側からカバー筒を挿入する過程で、シーリング材受けとシーリング材とを密接する（環状シール部の施工）ようにしているため、作業性を向上させることができる。しかも、シーリング材は、カバー筒の雨仕舞筒部への挿入に伴って塗り広げられるため、初期塗着面積よりも広い面積をもってシーリング材をシーリング材受けに密接（接着）することができる。したがって、カバー筒と雨仕舞筒部との間隙を施工性良く、且つ確実にシールすることができる。
【００１０】
この場合、シーリング材受けは、雨仕舞筒部の内周面に固着され、環状シール部は、開口部の内外方向屋内側に配設されていることが好ましい。
【００１１】
この構成によれば、雨仕舞筒部の内周面の屋内側にシーリング材受けを固着し、これに合わせてカバー筒の外周面にシーリング材を塗着することになる。このため、雨仕舞筒部にカバー筒を挿入する最終段階で、シーリング材がシーリング材受けに接触して塗り広げられる。したがって、雨仕舞筒部にカバー筒を挿入する過程で、シーリング材がシーリング材受け以外の部分に付着してしまうことがなく、シーリング材受けにシーリング材を適切に密接することができる。
【００１２】
この場合、シーリング材受けは、雨仕舞筒部の内周面に固着された環状ベース部と、カバー筒の外周面に対峙し、環状ベース部から突出する環状突起部と、を有していることが好ましい。
【００１３】
この構成によれば、雨仕舞筒部にカバー筒を挿入する過程で、環状ベース部から環状突起部に亘る部分でシーリング材を受け、更に環状突起部の部分で受けたシーリング材をカバー筒の外周面に押し付けるように塗り広げることができる。したがって、シーリング材は、シーリング材受けの全域に付着すると共に、シーリング材受けに対峙するカバー筒の外周面の部分に広く付着する。したがって、硬化したシーリング材により、雨仕舞筒部とカバー筒との間隙を確実にシールすることができる。
なお、環状ベース部と環状突起部とは、一体に形成されていることが好ましい。また、環状突起部は、カバー筒の外周面に接するようにして対峙していてもよいし、わずかに間隙を存して対峙していてもよい。特に、前者のものにあっては、カバー筒を雨仕舞筒部に挿入する際の挿入ガイドとして機能させることができる。
【００１４】
また、シーリング材受けは、雨仕舞筒部の内周面を環状に粗面加工した環状粗面部を、成形型の一部として成型されたものであることが好ましい。
【００１５】
この構成によれば、雨仕舞筒部の内周面とシーリング材受けとを、水密に一体化させることができる。この点でも、雨仕舞筒部とカバー筒との間隙を確実にシールすることができる。
【００１６】
さらに、シーリング材受けおよびシーリング材は、同材質系の樹脂で構成されていることが好ましい。
【００１７】
この構成によれば、シーリング材受けとシーリング材とは馴染みが良く、これらを水密に一体化させることができる。
【００１８】
また、シーリング材受けは、カバー筒の外周面に固着され、環状シール部は、開口部の内外方向屋外側に配設されていることが好ましい。
【００１９】
この構成によれば、カバー筒における外周面の屋外側にシーリング材受けを固着し、これに合わせて雨仕舞筒部の内周面にシーリング材を塗着することになる。このため、雨仕舞筒部にカバー筒を挿入する最終段階で、シーリング材がシーリング材受けに接触して塗り広げられる。したがって、雨仕舞筒部にカバー筒を挿入する過程で、シーリング材がシーリング材受け以外の部分に付着してしまうことがなく、シーリング材受けにシーリング材を適切に密接することができる。
【００２０】
一方、枠状シール部は、ゴムテープを基材とした両面粘着テープで構成され、雨仕舞フランジ部は、枠状シール部を挟み込んだ状態で屋内側開口縁部にビス止めされていることが好ましい。
【００２１】
この構成によれば、両面粘着テープ（枠状シール部）により、雨仕舞筒を屋内側開口縁部に仮固定しておき、更にビス止めにより本固定することができるため、施工性を向上させることができる。また、両面粘着テープ（枠状シール部）は、ゴムテープを基材としたものであるため、雨仕舞フランジ部や屋内側開口縁部に馴染み、シール性を向上させることができる。しかも、雨仕舞フランジ部は、枠状シール部を挟み込んでビス止めされるため、枠状シール部が押圧されて、経時的にも高いシール性を維持することができる。
【００２２】
また、屋内側開口縁部から開口部の内周面に亘って貼着された防水シートを、更に備えることが好ましい。
【００２３】
この構成によれば、雨仕舞筒が取り付けられる外壁の屋内側開口縁部に凹凸（不陸）が生じていても、これを防水シートにより均すことができる。すなわち、防水シートと屋内側開口縁部との間をシールした上で、これに雨仕舞筒を取り付けることができ、雨仕舞筒（雨仕舞フランジ部）を屋内側開口縁部に高いシール性をもって取り付けることができる。また、開口部の内周面にクラック等の欠損が生じていても、防水シートによりこれを塞ぐことができる。
【００２４】
一方、換気筒の屋外側を開口部に支持する支持機構を、更に備えることが好ましい。
【００２５】
この構成によれば、風呂釜の換気筒を、ユニットバスと支持機構とにより両持ちで支持することができる。このため、換気筒の荷重がカバー筒、環状シール部および雨仕舞筒等に作用することがなく、荷重による各シール部分の経時的な損傷を防止することができる。
【００２６】
本発明の風呂釜の設置方法は、ユニットバスが面する外壁の開口部に、換気筒を臨ませて風呂釜を設置する風呂釜の設置方法であって、換気筒が挿通すると共にユニットバスから開口部に向かって延びるカバー筒と、開口部に臨むと共にカバー筒が挿入される雨仕舞筒と、を用い、雨仕舞筒の内周面に環状のシーリング材受けを固着する剤受け固着工程と、シーリング材受けを固着した雨仕舞筒を、開口部が形成された外壁の屋内側開口縁部に水密に取り付ける雨仕舞筒取付け工程と、シーリング材をカバー筒の外周面に環状に且つ盛り付けるように塗着する剤塗着工程と、シーリング材を塗着したカバー筒を、雨仕舞筒に挿入すると共にユニットバスに取り付けるカバー筒取付け工程と、風呂釜を、カバー筒に挿通すると共にユニットバスに取り付ける風呂釜取付け工程と、を備え、カバー筒取付け工程では、カバー筒を雨仕舞筒に挿入する過程において、シーリング材受けにより、盛り付けたシーリング材を挿入する方向に相対的に塗り広げるようにして、雨仕舞筒の内周面とカバー筒の外周面との間隙をシールすることを特徴とする。
【００２７】
この構成によれば、予め取り付けた雨仕舞筒に対し、ユニットバス側からカバー筒を挿通する過程で、シーリング材受けとシーリング材とを密接（接着）するようにしているため、外壁とユニットバスとの間の配管スペースで作業を行う必要がなく、作業性を向上させることができる。しかも、シーリング材は、カバー筒の雨仕舞筒への挿通に伴って、シーリング材受けにより挿通する方向に相対的に塗り広げられたものであるため、初期塗着面積よりも広い面積をもってシーリング材をシーリング材受けに密接（接着）することができる。したがって、カバー筒の雨仕舞筒との間隙を施工性良く、且つ確実にシールすることができる。
【図面の簡単な説明】
【００２８】
【図１】第１実施形態の風呂釜の設置構造を表した平面図（ａ）および側面図（ｂ）である。
【図２】第１実施形態の風呂釜の設置構造を拡大して表した側面図である。
【図３】第１実施形態の風呂釜の設置構造において、カバー筒を挿入する前段階の側面図である。
【図４】第２実施形態の風呂釜の設置構造を拡大して表した側面図である。
【図５】第３実施形態の風呂釜の設置構造を拡大して表した側面図である。
【発明を実施するための形態】
【００２９】
以下、添付の図面を参照して、本発明の一実施形態に係る風呂釜の設置構造および設置方法について説明する。この風呂釜の設置構造は、主として昭和４０年代等の古い共同住宅において、タイル張りの浴室をユニットバスに改修するに際し、ユニットバスが面する外壁に形成された既設の開口部を利用して、ユニットバスに密閉式の風呂釜を設置するものである。なお、この風呂釜の設置構造は、新設の建物にも適用可能である。
【００３０】
［第１実施形態］
図１は、改修後のユニットバスＵＢおよび風呂釜１０を表している。ユニットバスＵＢが面する外壁ＥＷには、既設の開口部ＯＰが形成されており、この開口部ＯＰに換気筒１１（給排気筒）を臨ませるようにして風呂釜１０が設置されている。風呂釜１０は、密閉式のガス風呂釜であり、ユニットバスＵＢの側壁ＵＢａにいわゆる壁貫通型で取り付けられている。風呂釜１０の前面には、前面パネル１２と、前面パネル１２から突出した配管接続部１３とが設けられている。図示では省略したが、ユニットバスＵＢに浴槽を設置すると、配管接続部１３は浴槽のカウンターの下に隠蔽される。
【００３１】
前面パネル１２の後方には換気筒１１が連なっており、特に図示しないが、換気筒１１の屋内側部位には風呂釜１０の主機構部が内蔵され、屋外側部位には給気流路および排気流路が構成されている。また、この風呂釜１０には、ユニットバスＵＢから延び、換気筒１１の屋内側部位を覆うカバー筒１５が設けられている。実施形態のカバー筒１５は、風呂釜１０のアタッチメントとして用意されているものを用いている。なお、「換気筒１１」は、給気および排気を行う筒体の他、給気のみを行う筒体であってもよいし、排気のみを行う筒体であってもよい。
【００３２】
図１および図２に示すように、ユニットバスＵＢには、開口部ＯＰに面してカバー筒１５が取り付けられており、カバー筒１５は、換気筒１１を内包した状態で開口部ＯＰに向かって延びている。一方、開口部ＯＰには、雨仕舞筒２０が臨んでおり、雨仕舞筒２０は、枠状シール部２１を介して、開口部ＯＰが形成された外壁ＥＷの屋内側開口縁部ＯＰａに取り付けられている。雨仕舞筒２０にはカバー筒１５の屋外側が遊挿（挿入）され、雨仕舞筒２０とカバー筒１５との間隙には、環状シール部２２が介設されている。そして、ユニットバスＵＢに取り付けた風呂釜１０は、その換気筒１１が、カバー筒１５、雨仕舞筒２０および開口部ＯＰを挿通し、開口部ＯＰから屋外に突出するように設置されている（図１参照）。
【００３３】
風呂釜１０は、屋内側をユニットバスＵＢに支持され、屋外側を、支持機構２４を介して開口部ＯＰの下面に支持されている。すなわち、風呂釜１０は、ユニットバスＵＢの側壁ＵＢａと開口部ＯＰに設けた支持機構２４とにより、両持ちで支持されている。一方、屋内側開口縁部ＯＰａから開口部ＯＰの開口内周面ＯＰｂに亘って、既設コンクリートの表面に防水シート２５が貼着されている。
【００３４】
カバー筒１５は、ステンレススチール等により、風呂釜１０の換気筒１１よりわずかに大きいサイズの方形の筒状に形成されている。また、カバー筒１５は、ユニットバスＵＢと外壁ＥＷとの間の配管スペースＰＳを越え開口部ＯＰに臨む（挿入される）長さを有している。カバー筒１５の屋内側の端部には、段付きの取付けフランジ３１が形成されている。一方、ユニットバスＵＢの側壁ＵＢａには、取付けフランジ３１の段付き部分に合わせて壁面開口ＵＢｂが形成されている。
【００３５】
カバー筒１５は、屋内側からユニットバスＵＢの壁面開口ＵＢｂを貫通し、その取付けフランジ３１の外側部位により、壁面開口ＵＢｂの開口縁部ＵＢｃに固定されている。そして、風呂釜１０は、その前面パネル１２を、取付けフランジ３１の内側部位に嵌め込むようにしてカバー筒１５に固定されている。すなわち、風呂釜１０は、カバー筒１５にビス止め或いは接着等により取り付けられ、カバー筒１５は、ユニットバスＵＢの側壁ＵＢａ（開口縁部ＵＢｃ）にビス止め或いは接着等により取り付けられている。
【００３６】
雨仕舞筒２０は、方形の筒状に形成された雨仕舞筒部３３と、雨仕舞筒部３３の屋内側端部に設けた雨仕舞フランジ部３４とを有し、いずれもステンレススチール等で形成されている。雨仕舞筒部３３は、カバー筒１５との間に環状シール部２２用の間隙が生ずるように、カバー筒１５より大きなサイズに形成されている。すなわち、雨仕舞筒部３３は、その内周面とカバー筒１５の外周面との間隙幅が四周に亘って等しくなるように、断面がカバー筒１５より大きな相似形に形成されている。そして、雨仕舞筒部３３は、内外方向において、開口部ＯＰ内に納まるように且つカバー筒１５よりも屋外側に突出するように形成されている。
【００３７】
また、雨仕舞筒部３３のカバー筒１５から屋外側に外れた位置には、その底板３３ａ上に、断面「Ω」字状の形材で構成された支持台３５が取り付けられている。支持台３５は、底板３３ａを横断するように延びており、これに換気筒１１の屋外側が支持されるようになっている（図１（ｂ）および図２参照）。したがって、支持台３５の上面は、カバー筒１５の底板１５ａ上面よりわずかに高くなるように形成されている。詳細は後述するが、この支持台３５は、換気筒１１の屋外側を支持する支持機構２４の一部を構成している。
【００３８】
雨仕舞フランジ部３４は、雨仕舞筒部３３から外壁ＥＷの屋内側開口縁部ＯＰａまで外方に四周枠状に延びており、四周枠状に配置した上記の枠状シール部２１を介して、屋内側開口縁部ＯＰａに水密に固定されている。枠状シール部２１は、基材テープをブチルゴムのテープとした両面粘着テープで構成され、弾力性と一定の厚みを有している。この場合、枠状シール部２１は、雨仕舞フランジ部３４と屋内側開口縁部ＯＰａとの間をシールする機能を有すると共に、雨仕舞フランジ部３４（雨仕舞筒２０）を屋内側開口縁部ＯＰａに取り付けるときに、雨仕舞フランジ部３４を屋内側開口縁部ＯＰａに仮固定する機能を有している。上述のように、屋内側開口縁部ＯＰａには防水シート２５が貼着されており、実施形態の雨仕舞フランジ部３４は、この防水シート２５を介して屋内側開口縁部ＯＰａに固定されている。
【００３９】
また、雨仕舞フランジ部３４は、枠状シール部２１（両面粘着テープ）から外れた位置において、複数本のコンクリートビス３６等により屋内側開口縁部ＯＰａに固定されている。すなわち、雨仕舞フランジ部３４は、防水シート２５および枠状シール部２１を介して屋内側開口縁ＯＰａに固定され、且つコンクリートビス３６等により屋内側開口縁部ＯＰａに直接固定されている。この状態では、防水シート２５および枠状シール部２１に雨仕舞フランジ部３４による押圧力が作用し、雨仕舞フランジ部３４は、屋内側開口縁部ＯＰａに水密に且つ強固に取り付けられ、この部分が確実にシールされるようになっている。
【００４０】
なお、雨仕舞筒２０は、開口部ＯＰと同心となるように設置することを基本とするが（図１参照）、風呂釜１０およびカバー筒１５が位置的な制約を受ける場合には、これに倣って雨仕舞筒２０を開口部ＯＰ内の偏った位置に設置することも可能である。例えば、浴室を画成する内壁と開口部ＯＰの一の辺が面一となるように、既設の開口部ＯＰが形成されている場合、ユニットバスＵＢを設置するための作業スペースや、ユニットバスＵＢに風呂釜１０およびカバー筒１５を設置するための作業スペース等を考慮すると、雨仕舞筒２０を開口部ＯＰの中心（同心）に設置することができなくなるおそれがある。かかる場合には、風呂釜１０およびカバー筒１５の設置位置を優先し、雨仕舞筒２０を開口部ＯＰ内の偏った位置に設置することが好ましい。
【００４１】
環状シール部２２は、カバー筒１５の外周面に塗着した環状のシーリング材４１と、雨仕舞筒部３３の内周面に固着した環状のシーリング材受け４２と、を有している。詳細は後述するが、シーリング材４１とシーリング材受け４２とは、雨仕舞筒２０（雨仕舞筒部３３）にカバー筒１５を挿入するときに密接し、その後のシーリング材４１の硬化により、雨仕舞筒部３３とカバー筒１５との間隙がシールされる（図２および図３参照）。
【００４２】
この場合、シーリング材４１とシーリング材受け４２とは、同材質系のものであり、シーリング材４１の硬化に伴ってこれらが一体化し、高いシール性を発揮する。  本実施形態のシーリング材４１およびシーリング材受け４２は、いずれもポリウレタン系の樹脂で構成しているが、例えばこれらをシリコーン系の樹脂で構成してもよい。
【００４３】
シーリング材４１は、カバー筒１５の雨仕舞筒部３３への挿入に先立ち、カバー筒１５の外周面に環状に且つ盛り付けるように塗着される（図３参照）。そして、カバー筒１５の雨仕舞筒部３３への挿入により、雨仕舞筒部３３に設けたシーリング材受け４２により、塗り広げられるようになっている（図２参照）。
【００４４】
一方、シーリング材受け４２は、ポリウレタンのパッキン材で構成されている。シーリング材受け４２は、成形したものを雨仕舞筒部３３の内周面に接着してもよいが、実施形態のものは、雨仕舞筒部３３の内周面を環状に粗面加工した環状粗面部３３ｂを、成形型の一部として成型したものである。これにより、雨仕舞筒部３３とシーリング材受け４２とは、水密に一体化されている。
【００４５】
シーリング材受け４２は、雨仕舞筒部３３の内周面において屋内側端部に固着されている。すなわち、環状シール部２２は、開口部ＯＰの内外方向屋内側に配設されている。また、シーリング材受け４２は、雨仕舞筒部３３の内周面に固着された断面方形状の環状ベース部４４と、カバー筒１５の外周面に対峙し、環状ベース部４４から突出する断面楔状の環状突起部４５とで一体に形成されている。環状突起部４５の屋内側は湾曲面となっており、これが環状ベース部４４の平坦面に連なっている。
【００４６】
したがって、カバー筒１５を雨仕舞筒部３３に挿入してゆく過程で、シーリング材受け４２（環状突起部４５）が挿入のガイドとして機能すると共に、盛り付けたシーリング材４１が、シーリング材受け４２の屋内側の形状に馴染むように変形し、更に環状突起部４５の湾曲面でカバー筒１５に押し付けられ塗り広げられる。そして、挿入が完了した状態では、シーリング材受け４２の屋内側の端面とカバー筒１５に対峙する面とに、変形したシーリング材４１が密接する。変形したシーリング材４１は、屋内側では盛り付けた半部が残り、屋外側ではシーリング材受け４２との間に充填されると共にわずかに撓んだ環状突起部４５を越えて膜状となる。これにより、雨仕舞筒部３３（雨仕舞筒２０）とカバー筒１５との間隙が、環状シール部２２により確実にシールされる。
【００４７】
なお、シーリング材受け４２の環状突起部４５は、カバー筒１５の外周面に接触した状態で対峙していてもよいし（図２参照）、わずかに間隙を存した状態で対峙していてもよい（図４参照）。
【００４８】
防水シート２５は、屋内側開口縁部ＯＰａから開口部ＯＰの開口内周面ＯＰｂに亘って貼着されている。すなわち、屋内側開口縁部ＯＰａにおける防水シート２５は、四周枠状に貼着され、開口部ＯＰにおける防水シート２５は、開口部ＯＰの内側四周に亘って貼着されている。防水シート２５は、厚み（１ｍｍ程度）と弾力性のあるものが用いられる。実施形態の防水シート２５は、自身が粘着性を有する紫外線硬化型のものが用いられている。このため、所定の形状にカットした後、表裏一方の面の保護フィルムを剥がして貼着を行い、紫外線硬化を待ってから他方の面の保護フィルムを剥がす施工手順となる。
【００４９】
なお、防水シート２５は、開口部ＯＰに接着剤で接着するタイプのものであってもよい。例えば、防水シート２５を４分割の成型品の分割シートとし、これを開口部ＯＰに接着するものであってもよい。具体的には、分割シートは、開口部ＯＰの各入隅に対応する角部を含むと共に１／４の四周枠部分を含み、更に重ね代を含む立体形状として成形しておく。現場では、これをプライマーで下地処理した開口部ＯＰ（および屋内側開口縁部ＯＰａ）に接着剤を塗着し、これに４つの分割シートを接着する。ここでは、開口部ＯＰの入隅と分割シートの角部との間に隙間が生じないように、分割シートの位置合せを入念に行う。分割シートの位置合せが完了したら、隣接する分割シート間の重ね代の中心に切り込みを入れ、残余の部分を取り去って隣接する分割シートの端同士を突合せた状態とする。
【００５０】
これら防水シート２５は、例えば屋内側開口縁部ＯＰａがタイル張り（既設）であるときに、その目地を埋め目地による不陸を均すように機能する。したがって、屋内側開口縁部ＯＰａに不陸が生じていても、この部分を適切にシールすることができる。そして、これに上記の枠状シール部２１を介して雨仕舞フランジ部３４が貼着されることとなる。なお、開口部ＯＰにおける防水シート２５は、開口内周面ＯＰｂの全域に亘って貼着されているが、必ずしも全域でなくてもよい。例えば、防水シート２５は、屋内側開口縁部ＯＰａから開口内周面ＯＰｂの屋内側半部に貼着されているものであってもよい。
【００５１】
支持機構２４は、左右一対のアジャストボルト５１と、各アジャストボルト５１に取り付けられた左右一対のブラケット５２と、換気筒１１が載る上記の支持台３５と、を有している。ブラケット５２は、断面クランク状に形成され、一端を雨仕舞筒２０の底板３３ａの下面に固着されている。アジャストボルト５１は、ブラケット５２の他端に固着した固定ナット５４と、ブラケット５２を貫通して固定ナット５４に上向きに螺合した調整ボルト５５と、固定ナット５４との間にブラケット５２を挟み込むようにして調整ボルト５５に螺合した止めナット５６と、で構成されている。
【００５２】
調整ボルト５５の頭部は、開口部ＯＰの下面（実際には、防水シート２５）に突き当てられており、換気筒１１を、支持機構２４を介して開口部ＯＰに支持するようになっている。この支持機構２４では、風呂釜１０を設置した状態、すなわち換気筒１１が支持台３５に載った状態で、先ず各アジャストボルト５１の止めナット５６を緩める（下動）。次に、換気筒１１が水平になるよう、各調整ボルト５５により調整を行う。換気筒１１が水平になったら、止めナット５６を締め付けて調整作業を完了する。
【００５３】
これにより、換気筒１１が開口部ＯＰに支持されるため、換気筒１１の荷重がカバー筒１５、環状シール部２２および雨仕舞筒２０等に作用することがなく、荷重による各シール部分の経時的な損傷を防止することができる。なお、換気筒１１は、雨仕舞筒２０を介して、開口部ＯＰの側面に支持するようにしてもよい。
【００５４】
ここで、図１ないし図３を参照して、風呂釜１０の設置方法について説明する。この設置方法では、ユニットバスＵＢを建て付ける前に実施する工程（図３参照）と、ユニットバスＵＢを建て付けた後に実施する工程（図１（ｂ）および図２参照）と、に分けられる。なお、風呂釜１０の設置は、既設の浴室をユニットバスＵＢに改修する一環として為されるものであり、既設の浴室床を構成するシンダーコンクリート等が斫り・撤去されていることが前提となる。
【００５５】
前半の工程では、屋内側開口縁部ＯＰａから開口部ＯＰの開口内周面ＯＰｂに亘って防水シート２５を貼着するシート貼着工程と、雨仕舞筒２０（雨仕舞筒部３３）の内周面にシーリング材受け４２を固着する剤受け固着工程と、雨仕舞筒２０の雨仕舞フランジ部３４に枠状シール部２１を貼着するシール貼着工程と、シーリング材受け４２および枠状シール部２１を設けた雨仕舞筒２０を、屋内側開口縁部ＯＰａに取り付ける雨仕舞筒取付け工程と、が実施される。
【００５６】
また、後半の工程では、シーリング材４１をカバー筒１５の外周面に環状に且つ盛り付けるように塗着する剤塗着工程と、シーリング材４１を塗着したカバー筒１５を、雨仕舞筒２０に挿通すると共にユニットバスＵＢに取り付けるカバー筒取付け工程と、風呂釜１０を、カバー筒１５に挿通すると共にユニットバスＵＢに取り付ける風呂釜取付け工程と、風呂釜１０の水平を調整する調整工程と、が実施される。
【００５７】
シート貼着工程では、予め採寸した寸法取りに従って、且つ部分的に重ね貼りを考慮して防水シート２５をカットする。また、これと相前後して、コンクリートの下地に専用のプライマーを塗布する。次に、カットした防水シート２５の表裏一方の面の保護フィルムを剥がして、屋内側開口縁部ＯＰａおよび開口内周面ＯＰｂへの貼着を行う。ここで、自然光或いは人工光による紫外線硬化を待つ。そして、防水シート２５が紫外線硬化したら、表裏他方の面の保護フィルムを剥がして作業を完了する。なお、この作業の直後に、屋内側開口縁部ＯＰａに、雨仕舞筒２０をビス止めするための下穴（複数個所）を穿孔しておくことが好ましい。
【００５８】
剤受け固着工程では、上述のように、雨仕舞筒部３３の内周面を環状に粗面加工すると共に、この環状粗面部３３ｂを成形型の一部として、シーリング材受け４２を一体に成型する。この剤受け固着工程は、雨仕舞筒部３３と雨仕舞フランジ部３４とから成る雨仕舞筒２０の製作と共に、工場で実施される。
【００５９】
シール貼着工程では、雨仕舞筒２０の雨仕舞フランジ部３４に、枠状シール部２１を貼着する。上述のように両面粘着テープで構成された枠状シール部２１は、雨仕舞フランジ部３４の基部（雨仕舞筒部３３との境界線）を目安として、雨仕舞フランジ部３４に貼着する。なお、枠状シール部２１の屋内側開口縁部ＯＰａに貼着される実貼着部分と非貼着部分との境目に保護テープに切り線を入れておくことが好ましい。これにより、次工程において、実貼着部分のみ保護テープを引き剥がすようにしてもよい。これらの工程も、工場で実施されることが好ましい。このように構成された雨仕舞筒２０は、シーリング材受け４２および枠状シール部２１を取り付けた状態で、現場に搬入されることとなる。
【００６０】
雨仕舞筒取付け工程では、先ず、雨仕舞筒２０に貼着されている枠状シール部２１（両面粘着テープ）の保護テープを引き剥がす。続いて、屋内側から雨仕舞筒部３３を開口部ＯＰに挿入しながら、雨仕舞フランジ部３４を墨出し線に倣って、屋内側開口縁部ＯＰａ（実際には、この部分の防水シート２５）に貼着する。すなわち、雨仕舞筒部３３を開口部ＯＰに臨ませた状態で、雨仕舞筒２０を仮固定する。続いて、雨仕舞フランジ部３４の複数個所を屋内側開口縁部ＯＰａにビス止めし、雨仕舞筒２０を本固定とする。
【００６１】
剤塗着工程では、外壁ＥＷとユニットバスＵＢの側壁ＵＢａの間の間隙寸法（配管スペースＰＳ）を考慮して、カバー筒１５の外周面にケガキ線等のマーキングを行い、このマーキングに倣ってシーリング材４１の塗着を行う。この場合、カバー筒１５は、取付けフランジ３１側を下にして立て、シーリングガン等を用いてシーリング材４１を盛り付けるように、且つ環状に連続するように塗着する。
【００６２】
カバー筒取付け工程では、先ず、シーリング材４１を塗着したカバー筒１５を、壁面開口ＵＢｂを介して、ユニットバスＵＢの内側から雨仕舞筒２０（雨仕舞筒部３３）に挿入してゆく。このとき、シーリング材受け４２の環状突起部４５を案内にして、カバー筒１５の雨仕舞筒部３３への挿入を開始し、シーリング材４１がシーリング材受け４２に接触した抵抗を感じつつ、カバー筒１５の取付けフランジ３１を壁面開口ＵＢｂの開口縁部ＵＢｃに押し当てる。そして最後に、カバー筒１５をユニットバスＵＢに固定する。
【００６３】
上述のように、カバー筒１５を雨仕舞筒部３３（雨仕舞筒２０）に挿入する過程において、シーリング材受け４２により、盛り付けたシーリング材４１を挿入する方向に相対的に塗り広げるようにして、雨仕舞筒２０の内周面とカバー筒１５の外周面との間隙がシールされる。なお、シーリング材４１とシーリング材受け４２との接触状態を視認することはできないが、カバー筒１５の雨仕舞筒２０への挿入に際し、シーリング材４１の強い粘性抵抗を感じることで確認可能となる。
【００６４】
風呂釜取付け工程では、ユニットバスＵＢの内側から風呂釜１０の換気筒１１をカバー筒１５に挿入してゆく。カバー筒１５を案内にして挿入されてゆく換気筒１１は、支持機構２４の支持台３５に載ると共に開口部ＯＰから大きく突出したところで、前面パネル１２がカバー筒１５の取付けフランジ３１に当接する。ここで、前面パネル１２（風呂釜１０）をカバー筒１５の取付けフランジ３１に固定する。
【００６５】
調整工程では、換気筒１１の水準を取りながら、左右一対のアジャストボルト５１により、換気筒１１が水平になるように調整を行う。そして、換気筒１１が水平になったところで、止めナット５６を締め付けで（緩み止め）、作業を完了する。なお、この調整工程を行ってから、前面パネル１２を取付けフランジ３１に固定するようにしてもよい。
【００６６】
以上のように、第１実施形態によれば、カバー筒１５と開口部ＯＰとの間に雨仕舞筒２０を介設し、シール箇所を、屋内側開口縁ＯＰａと雨仕舞フランジ部３４との間、およびカバー筒１５と雨仕舞筒部３３との間の２箇所に分散するようにしている。すなわち、屋内側開口縁部ＯＰａと雨仕舞フランジ部３４との間は枠状シール部２１により、またカバー筒１５と雨仕舞筒部３３との間隙は環状シール部２２により、それぞれシールするようにしている。このように、各箇所の形態に合わせてシールを行うようにしているため、換気筒１１と開口部ＯＰとの間隙を適切にシールすることができ、開口部ＯＰの大きさに係わらずこの部分における換気筒１１の雨仕舞を確実なものとすることができる。
【００６７】
特に、屋内側開口縁ＯＰａと雨仕舞フランジ部３４との間には、枠状シール部２１に加え防水シートを介設し、且つ雨仕舞フランジ部３４を屋内側開口縁ＯＰａにビス止めするようにしているため、雨仕舞フランジ部３４に不陸が生じていても、この部分を確実にシールすることができる。
【００６８】
同様に、カバー筒１５と雨仕舞筒部３３との間に介設した環状シール部２２は、予め取り付けた雨仕舞筒２０の雨仕舞筒部３３に対し、ユニットバスＵＢ側からカバー筒１５を挿入する過程で、シーリング材受け４２とシーリング材４１とを密接するようにしているため、見えない部分のシール作業を確実に行うことができると共にその作業性を向上させることができる。しかも、シーリング材４１は、カバー筒１５の雨仕舞筒部３３への挿入に伴って塗り広げられるため、初期塗着面積よりも広い面積をもってシーリング材４１をシーリング材受け４２に密接（接着）することができる。したがって、カバー筒１５と雨仕舞筒２０との間隙を施工性良く、且つ確実にシールすることができる。
【００６９】
［第２実施形態］
次に、図４を参照して、第２実施形態に係る風呂釜１０の設置構造および設置方法について説明する。なお、この実施形態では、主に第１実施形態と異なる部分について説明する。
【００７０】
この風呂釜１０の設置構造では、第１実施形態と同様に、環状シール部２２は、カバー筒１５の外周面に塗着した環状のシーリング材４１と、雨仕舞筒２０の雨仕舞筒部３３の内周面に固着した環状のシーリング材受け４２Ａとを有している。しかし、第２実施形態のシーリング材受け４２Ａの形状は、第１実施形態のものと異なっている。
【００７１】
第２実施形態のシーリング材受け４２Ａは、雨仕舞筒部３３の内周面に固着された断面方形状の環状ベース部４４と、環状ベース部４４の端から雨仕舞フランジ部３４に向かって延びる枠状ベース部４６と、カバー筒１５の外周面に間隙を存して対峙し、環状ベース部４４から突出する断面楔状の環状突起部４４とで一体に形成されている。
【００７２】
環状突起部４５は、カバー筒１５の外周面に間隙を存して対峙しており、カバー筒１５を雨仕舞筒部３３に挿入する過程において、盛り付けたシーリング材４１を挿入する方向に相対的に塗り広げる。そして、挿入が完了した状態では、変形したシーリング材４１が、屋内側では盛り付けた半部が残り、屋外側ではシーリング材受け４２Ａとの間に充填されると共に環状突起部４５を越えて膜状となる。すなわち、環状突起部４５とカバー筒１５の外周面との間隙分が、環状突起部４５を越えた部分のシーリング材４１の膜厚となる。
【００７３】
一方、環状突起部４５とカバー筒１５の外周面とは、間隙を存して対峙しているため、カバー筒１５を雨仕舞筒部３３に挿通する過程で、カバー筒１５の先端が環状ベース部４４に突き当たって、これを雨仕舞筒部３３から引き剥がしてしまうおそれがある。しかし、本実施形態では、環状ベース部４４に枠状ベース部４６が連なっており、枠状ベース部４６により、環状ベース部４４が引き剥がされてしまうのを、有効に防止することができる。
【００７４】
また、第２実施形態では、第１実施形態の防水シート２５に代えて、雨仕舞筒２０（雨仕舞筒部３３）と開口部ＯＰとの間隙を閉塞するようにコーキング部６１が設けられている。コーキング部６１は、環状に設けた奥側のバックアップ材６３と、手前側のコーキング剤６４（シーリング材）と、を有している。これにより、雨仕舞筒部３３と開口部ＯＰとの間隙がシールされる。すなわち、雨仕舞筒２０と開口部ＯＰとは、上記の枠状シール部２１とこのコーキング部６１との２箇所でシールされ、開口部ＯＰ廻りのシールを確実なものとしている。
【００７５】
この場合の風呂釜１０の設置方法では、上記のシート貼着工程は省略され、これに代えて、雨仕舞筒取付け工程の後に、コーキング部６１を設けるコーキング工程が実施される。コーキング工程では、先ず雨仕舞筒２０（雨仕舞筒部３３）と開口部ＯＰとの間隙奥にバックアップ材６３が挿入設置され、続いて間隙手前に、コーキング剤６４が隙間なく充填される。
【００７６】
以上のように、第２実施形態によれば、第１実施形態と同様に、カバー筒１５と開口部ＯＰとの間に雨仕舞筒２０を介設し、シール箇所を２箇所に分散するようにしている。このため、各箇所の形態に合わせてシールを行うことができ、換気筒１１と開口部ＯＰとの間隙を適切にシールすることができる。
【００７７】
特に、枠状シール部２１およびコーキング部６１により、開口部ＯＰと雨仕舞筒２０との間を２箇所でシールするようにしているため、この部分を確実にシールすることができる。同様に、環状シール部２２は、カバー筒１５を雨仕舞筒部３３に挿入する過程で、シーリング材受け４２とシーリング材４１とを密接するようにしているため、見えない部分のシール作業を確実に行うことができると共にその作業性を向上させることができる。
【００７８】
［第３実施形態］
次に、図５を参照して、第３実施形態に係る風呂釜１０の設置構造および設置方法について説明する。なお、この実施形態でも、主に第１実施形態と異なる部分について説明する。
【００７９】
この実施形態の環状シール部２２Ａでは、シーリング材４１が雨仕舞筒部３３（雨仕舞筒２０）の内周面に塗着され、シーリング材受け４２がカバー筒１５の外周面に固着されている。また、シーリング材受け４２は、カバー筒１５の外周面において屋外側端部に固着されている。すなわち、環状シール部２２Ａは、開口部ＯＰの内外方向屋外側に配設されている。
【００８０】
この場合も、シーリング材受け４２は、カバー筒１５の外周面に固着された断面方形状の環状ベース部４４と、雨仕舞筒２０（雨仕舞筒部３３）の内周面に対峙し、環状ベース部４４から突出する断面楔状の環状突起部４５とで一体に形成されている。もっとも、この場合のシーリング材受け４２は、内外方向において第１実施形態とは逆向きに設けられている。
【００８１】
この実施形態でも、カバー筒１５を雨仕舞筒部３３に挿入する過程において、シーリング材受け４２により、盛り付けたシーリング材４１が挿入する方向に相対的に塗り広げられる。但し、この場合には、環状シール部２２Ａが、開口部ＯＰの内外方向屋外側に配設されているため、挿入の最終段階で、シーリング材受け４２がシーリング材４１に密接しこれを変形させることとなる。
【００８２】
この場合の風呂釜１０の設置方法では、カバー筒１５の外周面にシーリング材受け４２を固着する（剤受け固着工程）と共に、雨仕舞筒部３３の内周面にシーリング材４１を塗着する（剤塗着工程）。このため、剤受け固着工程におけるシーリング材受け４２のカバー筒１５への固着は、第１実施形態の要領で工場において行われ、カバー筒１５はシーリング材受け４２を取り付けた状態で、現場に搬入される。また、剤塗着工程における、シーリング材４１の雨仕舞筒部３３への塗着は、雨仕舞筒取付け工程の後に、屋外側から実施される。
【００８３】
以上のように、第３実施形態によれば、第１実施形態と同様に、カバー筒１５と開口部ＯＰとの間に雨仕舞筒２０を介設し、シール箇所を２箇所に分散するようにしている。このため、各箇所の形態に合わせてシールを行うことができ、換気筒１１と開口部ＯＰとの間隙を適切にシールすることができる。
【００８４】
特に、カバー筒１５と雨仕舞筒部３３との間に介設した環状シール部２２Ａが、屋外側に配設されているため、これに水返しの機能を併せ持たせることができ、この部分のシール性を向上させることができる。
【００８５】
なお、環状シール部２２は、カバー筒１５と雨仕舞筒部３３との間において、屋内側（第１実施形態）と屋外側（第３実施形態）の２箇所に配設するようにしてもよい。
【符号の説明】
【００８６】
１０…風呂釜、１１…換気筒、１５…カバー筒、２０…雨仕舞筒、２１…枠状シール部、２２，２２Ａ…環状シール部、２４…支持機構、２５…防水シート、３１…取付けフランジ、３３…雨仕舞筒部、３３ｂ…環状粗面部、３４…雨仕舞フランジ部、３５…支持台、３６…コンクリートビス、４１…シーリング材、４２，４２Ａ…シーリング材受け、４４…環状ベース部、４５…環状突起部、５１…アジャストボルト、５２…ブラケット、ＥＷ…外壁、ＯＰ…開口部、ＯＰａ…屋内側開口縁部、ＯＰｂ…開口内周面、ＵＢ…ユニットバス、ＵＢａ…側壁、ＵＢｂ…壁面開口、ＵＢｃ…開口縁部。
【図１】
2020026938.tif 000003
【図２】
2020026938.tif 000004
【図３】
2020026938.tif 000005
【図４】
2020026938.tif 000006
【図５】
2020026938.tif 000007